(57)【要約】【課題】ダムの天端の高さにバッチャープラントを設けた場合であっても、天端よりも下方の位置にコンクリートを搬送することができる搬送システムを提供する。【解決手段】搬送システムは、水平方向に延びる複数のコンベア４と、垂直方向に延びる複数の搬送シュート２と、を備え、斜面では、複数のコンベア４と、複数の搬送シュート２とが交互に配置され、コンベア４により運ばれたコンクリートは、このコンベア４の下流に位置する搬送シュート２に投下され、搬送シュート２に投下されたコンクリートは、搬送シュート２の下流に位置するコンベア４に投下され、搬送シュート２の管内には、他の部位に比べて開口面積が小さくなるような突部が形成されている。【選択図】図２
2018178690.tif 000002
【特許請求の範囲】
【請求項１】
斜面を有するダムにおける上方位置から下方位置にコンクリートを搬送するための搬送システムであって、
水平方向に延びる複数のコンベアと、
垂直方向に延びる複数の搬送シュートと、を備え、
前記斜面では、前記複数のコンベアと、前記複数の搬送シュートとが交互に配置され、前記コンベアにより運ばれたコンクリートは、当該コンベアの下流に位置する搬送シュートに投下され、前記搬送シュートに投下されたコンクリートは、当該搬送シュートの下流に位置するコンベアに投下され、
前記搬送シュートの管内には、他の部位に比べて開口面積が小さくなるような突部が形成されている、ことを特徴とするコンクリートの搬送システム。
【請求項２】
さらに、
前記コンベアを支持する横方向支持部材と、
前記斜面に立設され、前記搬送シュートに沿って垂直方向に延びる垂直方向支持部材と、を備え、
前記横方向支持部材は、当該横方向支持部材の基端部が前記垂直方向支持部材の下端部に接続されて、前記垂直方向支持部材により横方向に延びるように支持されており、
前記搬送シュートは、前記垂直方向支持部材の先端部に吊り下げられている、
請求項１に記載のコンクリートの搬送システム。
【請求項３】
前記横方向支持部材の基端部は、前記垂直方向支持部材の下端部に枢動可能に接続されており、
さらに、
前記垂直方向支持部材の上端部から、前記横方向支持部材の先端部まで延びるワイヤと、
前記ワイヤを巻き上げる巻き上げ装置と、を備える、
請求項２に記載のコンクリートの搬送システム。
【請求項４】
前記上方位置には、バッチャープラントが設けられ、
前記バッチャープラントから、最上流の搬送シュートまで延びるコンベアを備える、
請求項１から３の何れか１項に記載のコンクリートの搬送システム。
【請求項５】
さらに、前記ダムの斜面に続く平坦部に設けられた複数の自走式のコンベア装置を備える、請求項１から４の何れか１項に記載のコンクリートの搬送システム。
【請求項６】
斜面を有するダムにおける上方位置から下方位置にコンクリートを搬送するための搬送方法であって、
前記斜面に、水平方向に延びる複数のコンベアと、垂直方向に延びる複数の搬送シュートとを交互に配置する配置工程と、
最上流の搬送シュートにコンクリートを投下するコンクリート投下工程と、
前記複数のコンベアと、前記複数の搬送シュートとにより前記斜面に沿ってコンクリートを搬送する搬送工程と、を備え、
前記搬送工程は、
上流側の搬送シュートから投下されたコンクリートを前記コンベアにより水平方向に搬送し、下流に位置する搬送シュートにコンクリートを投下する水平方向搬送ステップと、
前記投下されたコンクリートを、前記搬送シュートを通して、下流に位置するコンベアに排出する垂直方向搬送ステップと、を繰り返すことにより行われる、ことを特徴とするコンクリートの搬送方法。
【発明の詳細な説明】
【技術分野】
【０００１】
本発明は、コンクリートの搬送システム、及び、コンクリートの搬送方法に関し、特に、ダムの天端から下方位置にコンクリートを搬送するためのコンクリートの搬送システム、及び、コンクリートの搬送方法に関する。
【背景技術】
【０００２】
従来、ダムを構築する際にコンクリートを打設するための装置として、例えば、特許文献１に記載されているような、タワーマストと、タワーマストを昇降可能であり、かつ、旋回可能なブームとを備え、ブームから下方に延びるシュートを通じてコンクリートを打設する移送装置が用いられている。この移送装置では、コンクリートはタワーマスト内を昇降可能なバケットに収容されてブームの高さまで搬送される。
【先行技術文献】
【特許文献】
【０００３】
【特許文献１】特許第３０４０３３８号公報
【発明の概要】
【発明が解決しようとする課題】
【０００４】
引用文献１に記載された移送装置では、タワーマストの下部において、コンクリートをバケットに投入しなければならず、コンクリートを製造するバッチャープラントはタワーマストの下部と同じ高さ位置に設ける必要がある。このため、ダムの天端の高さにバッチャープラントを設けなければならない場合には、この移送装置を用いて施行を行うことは難しいという問題があった。
【０００５】
本発明は、上記の課題に鑑みなされたものであり、ダムの天端の高さにバッチャープラントを設けた場合であっても、天端よりも下方の位置にコンクリートを搬送することができる搬送システムを提供することを目的としている。
【課題を解決するための手段】
【０００６】
本発明は、斜面を有するダムにおける上方位置から下方位置にコンクリートを搬送するための搬送システムであって、水平方向に延びる複数のコンベアと、垂直方向に延びる複数の搬送シュートと、を備え、斜面では、複数のコンベアと、複数の搬送シュートとが交互に配置され、コンベアにより運ばれたコンクリートは、コンベアの下流に位置する搬送シュートに投下され、搬送シュートに投下されたコンクリートは、搬送シュートの下流に位置するコンベアに投下され、搬送シュートの管内には、他の部位に比べて開口面積が小さくなるような突部が形成されている。
【０００７】
本発明によれば、交互に配置された搬送シュートとコンベアにより、ダムの天端から斜面に沿ってコンクリートを下方位置に搬送することができる。また、搬送シュートの管内には、他の部位に比べて開口面積が小さくなるような突部が形成されているため、搬送シュート内を落下するコンクリートが突部に衝突して落下速度が低下するため、コンクリートの分離を防止できる。
【０００８】
本発明において、好ましくは、さらに、コンベアを支持する横方向支持部材と、斜面に立設され、搬送シュートに沿って垂直方向に延びる垂直方向支持部材と、を備え、横方向支持部材は、横方向支持部材の基端部が垂直方向支持部材の下端部に接続されて、垂直方向支持部材により横方向に延びるように支持されており、搬送シュートは、垂直方向支持部材の先端部に吊り下げられている。
上記構成の本発明によれば、コンクリートの上面が横方向支持部材の直下まで到達した際に、最下段の一体となった支持構造を撤去することができる。これにより、最下流の搬送シュートが、撤去した支持構造の上流側の支持構造から吊り下げられた状態となる。これにより、支持構造等をコンクリート内に残すことなく堤体を製造することができる。
【０００９】
本発明において、好ましくは、横方向支持部材の基端部は、垂直方向支持部材の下端部に枢動可能に接続されており、さらに、垂直方向支持部材の上端部から、横方向支持部材の先端部まで延びるワイヤと、ワイヤを巻き上げる巻き上げ装置と、を備える。
上記構成の本発明によれば、横方向支持部材を水平方向に延びるように支持することができる。
【００１０】
本発明において、好ましくは、ダムにおける上方位置には、バッチャープラントが設けられ、バッチャープラントから、最上流の搬送シュートまで延びるコンベアを備える。
上記構成の本発明によれば、ダムにおける上方位置にバッチャープラントを設けることが可能になり、バッチャープラントからコンベアを介して連続的にコンクリートを下方位置に送ることができる。
【００１１】
本発明において、好ましくは、さらに、ダムの斜面に続く平坦部に設けられた複数の自走式のコンベア装置を備える。
上記構成の本発明によれば、自走式のコンベア装置により平坦部の所望の位置までコンクリートを連続的に搬送することができる。
【００１２】
本発明は、斜面を有するダムにおける上方位置から下方位置にコンクリートを搬送するための搬送方法であって、ダムの斜面に、水平方向に延びる複数のコンベアと、垂直方向に延びる複数の搬送シュートとを交互に配置する配置工程と、最上流の搬送シュートにコンクリートを投下するコンクリート投下工程と、複数のコンベアと、複数の搬送シュートとにより斜面に沿ってコンクリートを搬送する搬送工程と、を備え、搬送工程は、上流側の搬送シュートから投下されたコンクリートをコンベアにより水平方向に搬送し、下流に位置する搬送シュートにコンクリートを投下する水平方向搬送ステップと、投下されたコンクリートを、搬送シュートを通して、下流に位置するコンベアに排出する垂直方向搬送ステップと、を繰り返すことにより行われる。
【００１３】
本発明によれば、交互に配置された搬送シュートとコンベアにより、ダムにおける上方位置から斜面に沿ってコンクリートを下方位置に搬送することができる。また、搬送シュートの管内には、他の部位に比べて開口面積が小さくなるような突部が形成されているため、搬送シュート内を落下するコンクリートが突部に衝突し、落下速度が低下するため、コンクリートの分離を防止できる。
【発明の効果】
【００１４】
本発明によれば、ダムの天端の高さにバッチャープラントを設けた場合であっても、天端よりも下方の位置にコンクリートを搬送することができる搬送システムを提供することができる。
【図面の簡単な説明】
【００１５】
【図１】本発明の第１実施形態による搬送システムの構成を示す斜視図である。
【図２】図１に示す搬送システムにおける搬送シュートと、コンベアとを拡大して示す斜視図である。
【図３】図２に示すシュート本体の鉛直断面図である。
【図４】自走式コンベアを拡大して示す図である。
【図５】固定式コンベアを拡大して示す図である。
【図６】コンクリートの打設が進行した状態を示す斜視図である。
【図７】第２実施形態による搬送システムにおける搬送シュート及びコンベアを支持する支持構造を示す斜視図である。
【図８】第２実施形態による搬送システムにおける搬送シュート及びコンベアを支持する支持構造を示す側面図である。
【発明を実施するための形態】
【００１６】
以下、本発明のコンクリートの搬送システム及び搬送方法の第１実施形態を、図面を参照しながら詳細に説明する。以下の説明では、既存のダムの堤体にコンクリートを増し打ちして、堤体の厚さを増加させる場合を例として説明する。
【００１７】
図１は、本発明の第１実施形態による搬送システムの構成を示す斜視図である。図１に占め示すように、既存のダム１００は、堤体１０６を有する。堤体１０６の下流側には下方平坦部１０４が位置しており、下方平坦部１０４の側部には連続して斜面１０２が位置している。また、斜面１０２の上方には上方平坦部１０１が位置している。上方平坦部１０１にはコンクリートを製造するためのバッチャープラント１０が配置されている。本実施形態では、このバッチャープラント１０で製造されたコンクリートを下方平坦部１０４まで搬送し、堤体１０６に沿ってコンクリートを打設する。
【００１８】
図１に示すように、本実施形態の搬送システム１は、上方コンベア６と、複数の搬送シュート２と、複数のコンベア４と、自走式コンベア８と、固定式コンベア１２と、を備える。
上方コンベア６は、バッチャープラント１０の下方位置から最上流（最も高い位置）の搬送シュート２まで延びている。バッチャープラント１０で製造されたコンクリートは上方コンベア６上に投下される。上方コンベア６はバッチャープラント１０から投下されたコンクリートを最上流の搬送シュート２まで搬送し、この搬送シュート２に投下する。
【００１９】
図２は、図１に示す搬送システムにおける搬送シュートと、コンベアとを拡大して示す斜視図である。図２に示すように、搬送シュート２は、立法格子状に組まれた支持部材２０と、支持部材２０により支持されたシュート本体２２とを有する。支持部材２０は、斜面を掘削することにより形成された凹部の底面上に配置されている。シュート本体２２は管状の部材であり、鉛直方向に延びている。
【００２０】
図３は、図２に示すシュート本体の鉛直断面図である。図３に示すように、シュート本体２２は、複数の管状部材が連結されて構成されている。具体的には、シュート本体２２は、複数の直管２４と、内部に突部２６Ａが形成された減速管２６とが連結されて構成されている。直管２４は、内部に円柱状の孔が形成されており、この孔の直径は高さによらず一定である。減速管２６は下端部の内面の全周に沿って突部２６Ａが形成されている。突部２６Ａは円環状を呈しており、中心に開口部２６Ｂが形成されている。また、突部２６Ａは径方向断面で階段状を呈しており、上方よりも下方の方が、直径が小さくなるように構成されている。減速管２６は所定の高さ（例えば、１５ｍ）当たり１個以上設けられている。このようにシュート本体２２の内部に突部２６Ａが形成されているため、シュート本体２２内を落下するコンクリートが突部２６Ａに衝突し、落下速度が低下する。これにより、コンクリートの分離や骨材の割れを防止できる。
【００２１】
図２に戻り、コンベア４は水平方向に延びる支持部材３０と、支持部材３０に支持されたコンベア本体３２とを備える。コンベア本体３２の上流端部は、上流側の搬送シュート２のシュート本体２２の直下に位置している。コンベア本体３２の下流端は、下流側の搬送シュート２のシュート本体２２の直上まで延出している。
斜面１０２において、複数の搬送シュート２と複数のコンベア４とが交互に配置されている。
【００２２】
下方平坦部１０４には、複数の自走式コンベア８と、固定式コンベア１２とが連続している。図４は、自走式コンベアを拡大して示す図である。図４に示すように、自走式コンベア８は、それぞれキャタピラ４０と、キャタピラ４０上に設けられた支持部材４４と、支持部材４４に支持されたコンベア部４２と、を備える。自走式コンベア８は、キャタピラ４０により自走可能であり、また、コンベア部４２の傾斜角度を変更することができる。各自走式コンベア８は、コンベア部４２の上流端部が上流側の自走式コンベア８の下流端部の下方に位置するように配置されている。各自走式コンベア８は、コンベア部４２の上流側端部が、上流側の自走式コンベア８のコンベア部４２の下流側端部の下方に位置するように配置され、コンベア部４２の角度が調整されている。
【００２３】
図５は、固定式コンベアを拡大して示す図である。図５に示すように、固定式コンベア１２は、水路１０８上に設けられている。固定式コンベア１２の上流側の自走式コンベア８は、コンベア部４２の下流端部が固定式コンベア１２の上流端部の上方に位置するように配置されている。また、固定式コンベア１２の下流側の自走式コンベア８は、コンベア部４２の上流端部が固定式コンベア１２の下流端部の下方に位置するように配置されている。
【００２４】
以下、本実施形態の搬送システム１によりコンクリートを搬送して打設する方法を説明する。
まず、コンクリートを打設するに当たり、斜面１０２に複数の搬送シュート２と複数のコンベア４と、を交互に配置し、上方平坦部１０１に上方コンベア６を配置し、下方平坦部１０４に自走式コンベア８及び固定式コンベア１２を配置する（配置工程）。
【００２５】
次に、バッチャープラント１０においてコンクリートを製造する。製造したコンクリートは上方コンベア６上に投下される。上方コンベア６に投下されたコンクリートは、上方コンベア６により搬送され、最上流の搬送シュート２に投下される（コンクリート投下工程）。
【００２６】
投下されたコンクリートは、搬送シュート２を通して搬送され、下流に位置するコンベア４の上流端部に排出される（垂直方向搬送ステップ）。なお、この際、搬送シュート２のシュート本体２２の内側に突部２６Ａが形成されているため、シュート本体２２内を落下するコンクリートが突部２６Ａに衝突し、落下速度が低下する。これにより、コンクリートの分離や骨材の割れを防止できる。次に、上流側の搬送シュート２から排出されたコンクリートを、コンベア４により水平方向に搬送する。そして、コンクリートはコンベア４により下流に位置する搬送シュート２に投下される（水平方向搬送ステップ）。これら、垂直方向搬送ステップと、水平方向搬送ステップとを繰り返すことにより、コンクリートは斜面１０２に沿って下方平坦部１０４まで搬送される。そして、コンクリートは最下流の搬送シュート２から最上流の自走式コンベア８上に投下される。
【００２７】
次に、コンクリートは、複数の自走式コンベア８及び固定式コンベア１２により、下方平坦部１０４に沿ってコンクリート打設箇所まで搬送される。そして、コンクリートは、最下流の自走式コンベア８からコンクリート打設箇所に排出される。このようにして堤体１０６に沿ってコンクリートを打設していく。
【００２８】
図６は、コンクリートの打設が進行した状態を示す斜視図である。同図に示すように、コンクリートの打設が進行するのに合わせて、斜面１０２に設けられたコンベア４及び搬送シュート２を下方から順番に撤去する。また、コンクリートの打設箇所に合わせて自走式コンベア８を移動させる。
以上の工程を繰り返すことにより、ダムの堤体１０６に沿ってコンクリートを増し打ちすることができる。
【００２９】
以上説明したように、本実施形態によれば、交互に配置された搬送シュート２とコンベア４により、上方平坦部１０１から斜面１０２に沿ってコンクリートを下方位置に搬送することができる。また、搬送シュート２のシュート本体２２内には、他の部位に比べて開口面積が小さくなるような突部２６Ａが形成されているため、搬送シュート２内を落下するコンクリートが突部に衝突し、落下速度が低下するため、コンクリートの分離を防止できる。
【００３０】
また、本実施形態によれば、上方平坦部１０１にバッチャープラント１０を設けることが可能になり、バッチャープラント１０から上方コンベア６を介して連続的にコンクリートを下方位置に送ることができる。
【００３１】
本実施形態によれば、ダムの斜面１０２に続く上方平坦部１０１に設けられた複数の自走式コンベア８を備えるため、自走式コンベア８により上方平坦部１０１の所望の位置までコンクリートを連続的に搬送することができる。
【００３２】
以下、本発明の第２実施形態による搬送システムについて説明する。本実施形態の搬送システムは、搬送シュート及びコンベアを支持する構成が第１実施形態と異なるが、それ以外の構成については第１実施形態と同様である。
図７及び図８は、第２実施形態による搬送システムにおける搬送シュート及びコンベアを支持する支持構造を示し、図７は斜視図であり、図８は側面図である。図７及び図８に示すように、本実施形態では、搬送シュート２２２及びコンベア２３２が支持構造２０１により支持されている。
【００３３】
支持構造２０１は、横方向に延びる横方向支持部材２３０と、斜面に立設され、搬送シュート２２２に沿って延びる垂直方向支持部材２２０と、ワイヤ２４０と、を有する。横方向支持部材２３０の基端部は、枢軸２４２において垂直方向支持部材２２０の下端部に枢動可能に接続されている。
【００３４】
垂直方向支持部材２２０は、鋼材が立体講師状に組まれて構成されている。垂直方向支持部材２２０の下端部が、斜面を掘削することにより形成された平坦面上に配置されている。
【００３５】
横方向支持部材２３０は、上方が開口するコの字型の断面を有する部材である。横方向支持部材２３０上にはコンベア２３２が配置されている。また、横方向支持部材２３０の先端部から搬送シュート２２２が吊り下げられている。コンベア２３２の先端は搬送シュート２２２の上方に位置している。また、搬送シュート２２２の下端は、下方のコンベア２３２の基端部の上方に位置している。
【００３６】
ワイヤ２４０は一端が垂直方向支持部材２２０の上端部に接続され、他端が横方向支持部材２３０の先端部に接続されている。図示しないウインチによりワイヤ２４０を巻き上げることにより、横方向支持部材２３０を上下に回動させることができる。
【００３７】
垂直方向支持部材２２０の高さ及び、横方向支持部材２３０の長さは斜面の傾斜に応じて適宜変更することができる。また、搬送シュート２２２の構成は、図３を参照して説明した第１実施形態のシュート本体２２の構成と同一である。このような支持構造２０１が、図７に示すように、斜面に沿って並ぶことにより、斜面の上方から下方までコンクリートを搬送することができる。
【００３８】
なお、図示はしていないが、第１実施形態と同様に、バッチャープラントから最上段の搬送シュート２２２まで上方コンベアが延びている。また、最下段の搬送シュート２２２の下端は、最上流の自走式コンベア８のコンベア部４２の上流側の端部の上方に位置している。
【００３９】
以下、本実施形態の搬送システムによりコンクリートを搬送して打設する方法を説明する。
まず、コンクリートを打設するに当たり、斜面に複数の支持構造２０１とともに搬送シュート２２２とのコンベア２３２と、を交互に配置し、第１実施形態と同様に、上方平坦部に上方コンベアを配置し、下方平坦部に自走式コンベア及び固定式コンベアを配置する（配置工程）。
【００４０】
次に、バッチャープラントにおいてコンクリートを製造する。製造したコンクリートは上方コンベア上に投下される。上方コンベアに投下されたコンクリートは、上方コンベアにより搬送され、最上流の搬送シュート２２２に投下される（コンクリート投下工程）。
【００４１】
投下されたコンクリートは、搬送シュート２２２を通して搬送され、下流に位置するコンベア２３２の上流端部に排出される（垂直方向搬送ステップ）。なお、この際、搬送シュート２２２の内側に突部が形成されているため、搬送シュート２２２内を落下するコンクリートが突部に衝突し、落下速度が低下する。これにより、コンクリートの分離や骨材の割れを防止できる。次に、上流側の搬送シュート２２２から排出されたコンクリートを、コンベア２３２により水平方向に搬送する。そして、コンクリートはコンベア２３２により下流に位置する搬送シュート２２２に投下される（水平方向搬送ステップ）。これら、垂直方向搬送ステップと、水平方向搬送ステップとを繰り返すことにより、コンクリートは斜面に沿って下方平坦部まで搬送される。そして、コンクリートは最下流の搬送シュート２２２から最上流の自走式コンベア上に投下される。
【００４２】
次に、コンクリートは、複数の自走式コンベア及び固定式コンベアにより、下方平坦部に沿ってコンクリート打設箇所まで搬送される。そして、コンクリートは、最下流の自走式コンベアからコンクリート打設箇所に排出される。このようにして堤体に沿ってコンクリートを打設していく。
【００４３】
そして、コンクリートの上面が横方向支持部材２３０の直下まで到達すると、最下段の一体となった支持構造２０１を撤去する。すなわち、まず、横方向支持部材２３０上のコンベア２３２を撤去する。次に、一体となった横方向支持部材２３０及びこの横方向支持部材２３０が枢動可能に接続された垂直方向支持部材２２０を撤去する。この際、撤去した支持構造２０１の上流側の支持構造２０１から吊り下げられた搬送シュート２２２は撤去せずに残す。このような構成であっても、上流側の支持構造２０１の横方向支持部材２３０の先端がワイヤ２４０により支持されているため、横方向支持部材２３０は水平に支持され、この横方向支持部材２３０の先端から搬送シュート２２２が吊り下がった状態となる。このような状態で、さらにコンクリートの搬送を続ける。このような工程を繰り返すことにより、支持構造２０１等をコンクリート内に残すことなく堤体を製造することができる。
【符号の説明】
【００４４】
１  搬送システム
２  搬送シュート
４  コンベア
６  上方コンベア
８  自走式コンベア
１０  バッチャープラント
１２  固定式コンベア
２０  支持部材
２２  シュート本体
２４  直管
２６  減速管
２６Ａ  突部
２６Ｂ  開口部
３０  支持部材
３２  コンベア本体
４０  キャタピラ
４２  コンベア部
４４  支持部材
１００  ダム
１０１  上方平坦部
１０２  斜面
１０４  下方平坦部
１０６  堤体
１０８  水路
２０１  支持構造
２２０  垂直方向支持部材
２２２  搬送シュート
２３０  横方向支持部材
２３２  コンベア
２４０  ワイヤ
２４２  枢軸
【図１】
2018178690.tif 000003
【図２】
2018178690.tif 000004
【図３】
2018178690.tif 000005
【図４】
2018178690.tif 000006
【図５】
2018178690.tif 000007
【図６】
2018178690.tif 000008
【図７】
2018178690.tif 000009
【図８】
2018178690.tif 000010